(57)【要約】  ゴルフマットは、左および右サイドショルダー間に中央チャネルを有するフレームを含む。人工芝パッドのような打撃パッドは、中央チャネル内でまたは中央チャネル上でスライド可能である。ゴムひものような少なくとも１つの弾性要素は、人工芝パッドに直接的または間接的に取り付けられて、チャネルを横切って側方に伸びる。パッド上のゴルフクラブヘッドの衝撃は、パッドを前にスライドさせて、衝撃力を吸収し、本物の草を打つことにより近いゴルファーへの感覚を提供する。弾性要素はパッドを減速させ、衝撃後にパッドをそのもとの位置に戻す。弾性要素は、フレームのサイドショルダーの内壁と外壁の間に固定された、差込まれたまたは結ばれた端部を有する弾性ひもであることとしてもよい。【選択図】図１
2015514555.tif 000002
【特許請求の範囲】
【請求項１】
左および右サイドショルダー間の中央チャネルを有するフレームと、
前記中央チャネル内をスライド可能なパッドと、
前記チャネルを横切って伸びる、前記パッドに取り付けられた少なくとも１つの弾性要素と、
を備える、ゴルフマット。
【請求項２】
前記弾性要素は、前記左サイドショルダー内に固定された左端部を有し、前記右サイドショルダー内に固定された右端部を有する、請求項１のゴルフマット。
【請求項３】
前記弾性要素は、その直径よりも少なくとも１０倍の長さを有するひもを備える、請求項１のゴルフマット。
【請求項４】
前記弾性要素は、前記左端部に左プラグおよび前記右端部に右プラグを有する弾性ひもを備え、前記左および右サイドショルダーのそれぞれが内壁および外壁を有し、前記左サイドショルダーの前記内壁および前記外壁間に前記左プラグがあり、前記右サイドショルダーの前記内壁および前記外壁間に前記右プラグがある、請求項２のゴルフマット。
【請求項５】
前記左および右サイドショルダーと間のフレームフロアと、
前記左サイドショルダーに隣接する前記フロアにおける左フロアホールと、前記左サイドショルダーの前記内壁における左サイドホールと、前記左サイドホールに前記左フロアホールを接続するスロットと、
前記右サイドショルダーに隣接する前記フロアにおける右フロアホールと、前記右サイドショルダーの前記内壁における右サイドホールと、前記右サイドホールに前記右フロアホールを接続するスロットとをさらに備え、
前記左および右サイドホールが、前記左および右プラグよりもそれぞれ小さな直径を有し、
前記左および右フロアホールが、前記左および右プラグよりもそれぞれ大きな直径を有する、請求項２のゴルフマット。
【請求項６】
前記左端部が前記フレームの前記左サイドショルダー内に固定され、前記右端部が前記右サイドショルダー内に固定されて設置されるように、それが伸縮するように前記弾性要素が前記チャネルの幅よりも短い、請求項２のゴルフマット。
【請求項７】
前記中央チャネル内にスライドトレイをさらに備え、前記パッドが前記スライドトレイに取り付けられ、前記弾性要素が前記スライドトレイの後端部に取り付けられた、請求項１のゴルフマット。
【請求項８】
前記スライドトレイの前記後端部にフックをさらに備え、前記フックの上を前記弾性要素がループすることにより、前記弾性要素が前記スライドトレイに取り付けられた、請求項７のゴルフマット。
【請求項９】
前記フレームの底に把持表面をさらに備える、請求項１のゴルフマット。
【請求項１０】
前記フレームの後端部の斜路と、前記斜路と前記チャネル間の平坦な高いランディングとをさらに備える、請求項１のゴルフマット。
【請求項１１】
前記チャネルの後端部に垂直壁をさらに備え、前記弾性要素は前記垂直後壁に隣接する、請求項１のゴルフマット。
【請求項１２】
前記サイドホールから前記ボトムホールへ前記プラグを移動させることにより前記フレームから移動可能である、請求項４のゴルフマット。
【請求項１３】
前記弾性要素は、単一の弾性チューブまたはバンドを備える、請求項１のゴルフマット。
【請求項１４】
前記パッドは、前記左および右サイドショルダーの上へ延びる上面を有する、請求項１のゴルフマット。
【請求項１５】
フロアフレームと、
前記フロアフレーム上のスライドトレイと、
前記スライドトレイに取り付けられた模擬グラスパッドと、
前記フロアフレームの後端部に隣接する前記フロアフレームを横切って側方に伸びる弾性ひもとを備え、前記弾性ひもは、前記スライドトレイに着脱可能に取り付けられた、ゴルフマット。
【請求項１６】
前記グラスパッドは、前記スライドトレイ上で所定の位置に固定されている、請求項１５のゴルフマット。
【請求項１７】
フロアフレームと、
第１の方向にスライド可能である、前記フロアフレーム上のスライドトレイと、
前記スライドトレイ上の所定の位置に固定された模擬グラスパッドと、
前記スライドトレイに着脱可能に取り付けられ、前記フロアフレームを横切って前記第１の方向に対して垂直な第２の方向に伸びる、前記フロアフレームの後端部に隣接する弾性ひもと、
前記弾性ひもの左端部の左突起と、前記弾性ひもの右端部の右突起と、
前記左サイドショルダーに隣接する前記フロアにおける左フロアホールと、前記左サイドショルダーの前記内壁における左サイドホールと、前記左サイドホールに前記左フロアホールを接続するスロットと、
前記右サイドショルダーに隣接する前記フロアにおける右フロアホールと、前記右サイドショルダーの前記内壁における右サイドホールと、前記右サイドホールに前記右フロアホールを接続するスロットとを備え、
前記左および右サイドホールは、前記左および右突起よりもそれぞれ小さい直径を有し、
前記左および右フロアホールは、前記左および右突起よりもそれぞれ大きい直径を有する、ゴルフマット。
【請求項１８】
前記突起がプラグまたは結び目を備える、請求項１７のゴルフマット。
【発明の詳細な説明】
【背景技術】
【０００１】
プロにとってさえ、ゴルフは挑戦的なスポーツであり得る。ほとんどの人にとって、ゴルフにおける高いレベルの技術と一貫性を習得することは、ゴルフコースのゲームを実際にプレイすることが可能な時間をはるかに超えて、定期的な練習を必要とする。種々のゴルフの練習装置が、ゴルフマットを含め、練習のためのゴルファーの要望に適合させるために作成されてきた。ゴルフマットは、概して、フレームまたはホルダーにひとまとまりの人工芝を備える。
【０００２】
本物の芝から打つことをシミュレートするゴルフマットを提供することは、技術に難題を提示する。アイアンでゴルフボールを打つとき、正しく行われる場合には、スウィングの弧の最も低いポイントをクラブヘッドが通り過ぎる直前に、ダウンスウィングでゴルフボールにクラブヘッドが当たることが必要となる。ゴルフコース上での実際のプレイ中に、クラブヘッドは、概して、振られて、芝生のディボットまたは小さなクランプを掘るはずである。しかしながら、ゴルフマットは、毎回のスウィングで同じマットに衝撃を与えるクラブヘッドにより、繰り返し使用される。このためおよび他の理由のため、マットからディボットを取ることを可能にするゴルフマットを提供することはできない。よって、ゴルフマットがディボットを取る感覚をシミュレートすることを試みてきた。本物の芝を打つことをシミュレートするために、人工芝の部分が衝撃下で移動することを可能にするゴルフマットのデザインが提案されてきた。
【発明の概要】
【発明が解決しようとする課題】
【０００３】
人工芝の部分を移動可能にすることは有用であるが、これらのタイプのデザインに伴い欠点が残されている。
【課題を解決するための手段】
【０００４】
ゴルフマットは、左および右サイドショルダー間の中央チャネルを有するフレームを含むこととしてもよい。人工芝パッドのような打撃パッドは、中央チャネル内でまたは中央チャネル上でスライド可能である。ゴムひものような少なくとも１つの弾性要素は、チャネルを横切って側方に伸び、弾性要素は、人工芝パッドに直接的または間接的に取り付けられている。パッド上のゴルフクラブヘッドの衝撃は、パッドを前にスライドさせて、衝撃力を吸収し、本物の芝を打つことにより近いゴルファーへの感覚を提供する。弾性要素はパッドを減速させ、衝撃後にパッドをそのもとの位置に戻す。弾性要素は、ショルダーに取り付けられることとしてもよい。弾性要素は、フレームのサイドショルダーの内壁と外壁との間に固定された、差込まれまたは結ばれた端部を有する弾性ひもであることとしてもよい。
【０００５】
図面では、各表示において、同じ構成番号は同じ構成を示す。
【図面の簡単な説明】
【０００６】
【図１】図１は、新規なゴルフマットの正面および上面斜視図である。
【図２】図２は、図１に示されるゴルフマットの背面および上面斜視図である。
【図３】図３は、図１および図２に示されるゴルフマットの分解斜視図である。
【図３Ａ】図３Ａは、図３の詳細部分の拡大図である。
【図４】図４は、図２のライン４‐４に沿った断面図である。
【図５】図５は、図２のライン５‐５に沿った断面図である。
【図６】図６は、図１〜３に示されるゴルフマットの底面斜視図である。
【発明を実施するための形態】
【０００７】
ここで、図面の詳細については、図１および図２に示されるように、ゴルフマット２０は、フロアフレーム２２を有する。フロアフレーム２２は、フロアまたはグラウンドに載せる平坦な底面を有する。フレーム２２は、チャネル３８の両側にサイドショルダーまたはレール３６が突出している。フレーム２２の前端部４０は開いており、一方、フレームの後端部は、フレームの底から、高くなった平坦な床面６８にかけて、鋭角で上に延びる斜路４２を有する。フレーム２２は、金属、木、またはプラスチックのような種々の材料で形成されることとしてもよく、典型的には、単一のプラスチック成型ユニットとして提供されることとしてもよい。フレームは種々の形状を取ることができるが、幅より約１．５〜２．５倍の長さを有する矩形のフレームが示される。例えば、フレームは、５０〜７０ｃｍの長さで２５〜４０ｃｍの幅であることとしてもよい。典型的なデザインでは、フレームは、６０ｃｍの長さで３０ｃｍの幅であることとしてもよい。
【０００８】
ここで、図３については、サイドショルダー３６は、フレームフロア４４に結合されて、フレームフロア４４から鉛直に上に延び、ショルダー３６とフロア４４は、３つの辺をもつチャネル３８を形成する。図１〜３に示されるように、打撃パッド２４がフレーム２２内に配置され、パッド２４の上面がショルダー３６を超えて上に延びる。図１に示されるように、フロア４４の前端部の短いセグメント、例えば、２．５〜５ｃｍが、パッド２４の前に延びるように、打撃パッド２４がフレーム２２におけるチャネル３８よりもわずかに短いこととしてもよい。
【０００９】
典型的には、パッド２４は、人工芝または芝生のセクションであることとしてもよい。人工芝は、一般的に、図３に示されるように、ベースシート２８に取り付けられた、またはベースシート２８とともに一体成形された、個々のプラスチックブレードまたはファイバ２６として提供される。
【００１０】
弾性要素７０は、チャネル３８の後端部に隣接し、フレーム２２を横切って伸びる。弾性要素７０は、ゴムバンドまたはひもであることとしてもよい。１つまたはそれ以上の個々の弾性要素７０が使用されることとしてもよい。示される例において、弾性要素は、端部プラグ７２を有する中空のゴムひもである。ひも７０の端部はフレームに取り付けられている。ひも７０は、パッド２４に直接的または間接的に取り付けられている。ひもは、チャネル３８の幅を横切って側方に伸びるように方向付けられている。よって、ひもは、また、図１に示されるフレーム２２の長手方向の軸ＬＬに対して垂直に方向付けられていることとしてもよい。
【００１１】
基本的な形態において、本発明は、フレーム２２にまたはフレーム２２上にパッド２４を含み、ひもがパッドの後端部付近のパッドに取り付けられることとしてもよい。使用中においては、パッド２４へのゴルフクラブヘッドの衝撃は、パッド２４を、長手方向の軸ＬＬに平行な方向に、フレーム２２において前方にスライドさせる。ひも７０は、パッドの前方への変位に対して、概しておおよそ線形的に比例して、パッド７０に弾性またはばね戻り力を及ぼす。ひも７０は、結果的にパッドの前方への移動を減速させるように作用し、また、その後、クラブヘッドの衝撃後に、パッドをそのもとの位置に引き戻す。
【００１２】
図３〜６は、さらになお向上したデザインを提供するための追加の要素を示す。図３に示されるように、パッド２４は、フロアセクション８６およびリアフックまたはピン９０の両側で上に延びる側壁８８を有する、スライドトレイ８４のような支持要素に取り付けられることとしてもよい。フック９０はひも７０の周囲に係合され、典型的にはフックはフレーム２２の長手方向の中心線にまたはその付近にあり、フックはひも７０の中心位置で係合する。フレーム２２に対してパッド２４のスライド移動をより促進するために、低摩擦性のスライドストリップ８０、または同等のスライドプレートが、スライドトレイ８４の底面とフレーム２２のフロア４４との間に配置されることとしてもよい。
【００１３】
図３に示されるように、分離カバー６４は、タブまたはファスナ６６を用いるこの場合に、フレーム２２の後端部に取り付けられることとしてもよい。カバー６４は、示されるように、フレーム２２の後端部で斜路の上部に取り付けられるまたは斜路４６を形成する曲がった部分と、チャネル３８から斜路４６を分離するランディング６８の上部に取り付けられるまたはランディング６８を形成する平坦な部分とを有する。カバー６４は、クラブヘッドがカバー６４を打つ場合に、マットに対するダメージおよびユーザの手へのショックの衝撃を低減するために、軟質ＰＶＣのような衝撃吸収材料であることとしてもよい。上記ひもは、任意に、プレートとして提供されることとしてもよく、逆もまた同様である。
【００１４】
図５に示されるように、各サイドショルダー３６は、内壁５４、上端部、および外壁５６を有することとしてもよく、ショルダー３６は概して逆「Ｕ」の形状である。内壁５４は、フロア４４に結合されることとしてもよい。外壁５６の下端は、フロア４４の底面と同一平面上であることとしてもよい。また、図５に示されるように、支持する屋内もしくは屋外のフロアまたは地面上で、摩擦もしくは把持シートまたはストリップ３４は、フレーム２２の移動を低減するために、フレーム２２の底面に取り付けられることとしてもよい。
【００１５】
図３Ａおよび図６は、必要に応じてユーザがひも７０を交換できるように、ひも７０が、すぐにかつ簡単にマット２０に設置されまたはマット２０から取り外されることを可能にするデザインを示す。図６に示されるように、ボトムホール５８は、垂直な背面チャネル壁４８に隣接する、チャネル３８の後端部付近のフロア４４を通って設けられる。図３Ａに示されるように、フロア４４におけるスロット６０は、フレーム２２の各サイドで、サイドショルダー３６の内壁５４へと外側に側方に延び、スロットは内壁５４のサイドホール６２へと接続する。
【００１６】
弾性要素７０は、ひもの端部に端部プラグまたは結び目７２を有するひもとして設けられることとしてもよい。用語のプラグ、結び目、および突起は、本明細書では、互換的に使用される。この場合において、ボトムホール５８は、ひもが差込まれ、または結ばれた端部が通り抜けることを可能にするのに十分な大きさの直径を有する。サイドホールの直径は、差込まれ、または結ばれた端部が内壁５４を通り抜けることを防ぐために十分小さい。
【００１７】
パッドは一時的にフレーム２２からすくい上げられてはずされ、もしある場合には、スライドトレイもまたはずされ、ひもの端部はボトムホール５８を通って下に挿通する。端部はその後、スロット６０を通って外側に移動され、プラグまたは結び目はサイドホールに位置される。チャネル３８を横切って直線にひもが伸びるように、ひもの本体はスロットを通って上に引っ張られる。プラグまたは結び目がサイドホール６２を通り抜けることができないため、ひもは、左および右側面の内壁５４間で、チャネルを横切って側方に伸び、定位置に固定され、プラグまたは結び目は内壁５４と外壁５６との間にある。
【００１８】
上記のようにひも７０を設置することは、任意に、ひもを伸ばすことにより、ひもをプレテンションすることとしてもよい。パッドおよびスライドトレイ８４は、使用されている場合には、フレーム２２上に戻される。ひも７０は、前および上に引っ張られ、フック９０または他の取り付け点の上に位置される。カバー６４は置き換えられて、ひも７０を隠す。
【００１９】
使用中に、ゴルファーは、外での実際のゴルフコースのプレイのように、クラブをスウィングしてパッド２４のボールを打つ。クラブヘッドとパッド２４間の有意な接触がなく、クラブヘッドがボールのみを打つ場合、パッドはそのとき静止したままである。一方、クラブヘッドがパッド２４と有意に接触した場合には、パッドのファイバはいくらかの衝撃を最初のうちは吸収するであろう。また、パッド２４は、前にスライドし、さらにパッド２４上のクラブヘッドの衝撃を吸収するであろう。パッド２４の前方への移動は、ゴルファーの手および腕に作用する、衝撃反応のショックおよび振動を低減する。よって、ゴルファーは、芝および土が衝撃力を吸収する、本物の芝を打つことにより似ている感覚を得る。また、パッドの前方への移動は、クラブヘッドの不慮のゆがみまたは反発を低減する傾向があるかもしれず、より正確なヒットを可能にする。クラブヘッドの衝撃後に、ひも７０は、変位したパッドをそのもとの位置に引き戻す。そのとき、ゴルフマット２０は、ゴルファーによる次のスウィングの準備ができている。
【図１】
2015514555.tif 000003
【図２】
2015514555.tif 000004
【図３】
2015514555.tif 000005
【図３Ａ】
2015514555.tif 000006
【図４】
2015514555.tif 000007
【図５】
2015514555.tif 000008
【図６】
2015514555.tif 000009
【国際調査報告】
2015514555.tif 000010
2015514555.tif 000011